(57)【要約】【課題】安価で取り付けが容易、かつ簡単に雷電流の通過の有無が分かり、設置後に特別な保守を必要としない雷電流表示器を提供する。【解決手段】板体の一方の端面に開口部１を設け、開口部１から内側に至る放電金具挿入用中空部２を設け、板体の内側に放電金具挿入用中空部２に続いて板体の他方の端面に至る通路から成る雷電流の放電部３を設け、放電部３を形成する一側面は、回転開閉する扉４で被い、扉４がホック５により閉鎖されている構成からなる雷電流表示器Ａを、電力流通線路において、雷放電ギャップの、対向して設けられた一方の放電金具の先端に、雷電流表示器Ａの放電金具挿入用中空部２を被せて取り付け、電力流通線路の襲雷時、雷放電ギャップに雷放電が発生した際、放電部３内の空気が膨張し、扉４がホック５に抗して開き、雷電流が雷放電ギャップを通過したことを表示する。【選択図】図１
2007080634.tif 000002
【特許請求の範囲】
【請求項１】
一定厚の板体又は柱体の一方の端面に開口部を設け、当該開口部から板体又は柱体の内側に至る放電金具挿入用中空部を設け、当該板体又は柱体の内側において当該放電金具挿入用中空部に続いて板体又は柱体の他方の端面に至る細幅の通路から成る雷電流の放電部を設け、当該放電部を形成する一側面は、一側を軸として回転開閉する扉で被い、当該扉が通常は留め具により閉鎖されている構成からなる雷電流表示器を、電力流通線路において、雷放電ギャップの、対向して設けられた一方の放電金具の先端に、上記雷電流表示器の放電金具挿入用中空部を被せて取り付け、
当該電力流通線路の襲雷時に、上記雷放電ギャップに雷放電が発生した際、当該放電により上記放電部内の空気が膨張し、当該放電部の扉が上記留め具に抗して開き、一定値以上の雷電流が当該雷放電ギャップを通過したことを表示することを特徴とする、雷電流表示器。
【請求項２】
雷電流による放電の際の電流と、当該放電時の空気膨張により扉にかかる加重との相関関係から、当該扉の留め具の強度を設定し、一定値以上の雷電流の場合に当該扉が開放されるように設けたことを特徴とする、上記請求項１に記載の雷電流表示器。
【請求項３】
上記扉は、観音開き式のものとしたことを特徴とする、上記請求項１又は２の何れかに記載の雷電流表示器。
【請求項４】
上記雷電流表示器の扉が開放されて露出する内部を当該扉や当該雷電流表示器の色と異なる色に着色したことを特徴とする、上記請求項１乃至３の何れかに記載の雷電流表示器。
【請求項５】
電力流通線路において、雷放電ギャップの、対向して設けられた一方の放電金具の先端に、上記請求項１乃至４の何れかに記載の雷電流表示器の放電金具挿入用中空部を被せて当該雷電流表示器を取り付け、
上記電力流通線路の襲雷時に、上記雷放電ギャップに雷電流による放電が発生した際、上記雷電流表示器の放電部内において、当該放電により空気が膨張し、当該放電部の扉が上記留め具に抗して開き、一定値以上の雷電流が当該雷放電ギャップを通過したことを表示することを特徴とする、電力流通線路における雷電流の表示方法。
【発明の詳細な説明】
【技術分野】
【０００１】
この発明は、架空の電力流通線路において、襲雷時に雷電流が、雷放電ギャップを通過したことを示す、雷電流表示器及び当該雷電流表示器を使った電力流通線路における雷電流の表示方法に関するものである。
【背景技術】
【０００２】
従来、電力流通線路として、電力供給のため樹枝状、面的に架空配電線路が設けられており、これらの架空配電線路は風雨など自然環境の影響を受けている。中でも、雷による影響は大きなものがあり、そこで、フラッシュオーバによる続流を遮断する素子やその他の避雷器等を設けている。
【０００３】
しかしながら、ある一定値以上の雷電流が流れると続流を遮断する素子や避雷器等が劣化したり、損傷を受けたりして、機能しなくなる。この様なことを放置しておくと電力供給に悪影響を及ぼす恐れがある。この様な状態の招来を防ぐために、架空配電線路の当該個所に雷電流の通過があったことを表示する雷電流通過表示器として各種のものが採用されている。例えば、火薬を用いたものや、電子部品を内蔵したものなどがある。
【特許文献１】特公平０４−６４１４９号公報
【発明の開示】
【発明が解決しようとする課題】
【０００４】
しかしながら、これらのもののうち、機構の複雑なものは高価であり、広範囲に設けられている架空配電線路の全てに設置するには、多大な費用を必要とし、経済的に不可能であった。さらに、これらの機器には薬品を使用するものもあり、また、複雑な機構のものは、長期間の使用に対して、劣化したり、故障したりして正常に作動しないことが予想された。そして、これらの状態を防ぐためには定期的な点検が必要となり、保守の面でも、また、機器の信頼性の面でも問題があった。また、これらの機器では、雷電流の大きさによって、これらの表示を制御することは困難であり、周辺機器の雷電流通過による劣化が問題にならないような小さな雷撃でも表示していた。
【０００５】
そこで、この発明は、これらの点を鑑みて為されたもので、安価で取り付けが容易、かつ簡単に雷電流の通過の有無が分かり、設置後に特別な保守を必要としない雷電流表示器及び当該雷電流表示器を使った電力流通線路における雷電流の表示方法を提供して上記課題を解決するものである。
【課題を解決するための手段】
【０００６】
請求項１の発明は、一定厚の板体又は柱体の一方の端面に開口部を設け、当該開口部から板体又は柱体の内側に至る放電金具挿入用中空部を設け、当該板体又は柱体の内側において当該放電金具挿入用中空部に続いて板体又は柱体の他方の端面に至る細幅の通路から成る雷電流の放電部を設け、当該放電部を形成する一側面は、一側を軸として回転開閉する扉で被い、当該扉が通常は留め具により閉鎖されている構成からなる雷電流表示器を、電力流通線路において、雷放電ギャップの、対向して設けられた一方の放電金具の先端に、上記雷電流表示器の放電金具挿入用中空部を被せて取り付け、当該電力流通線路の襲雷時に、上記雷放電ギャップに雷放電が発生した際、当該放電により上記放電部内の空気が膨張し、当該放電部の扉が上記留め具に抗して開き、一定値以上の雷電流が当該雷放電ギャップを通過したことを表示する雷電流表示器とした。
【０００７】
請求項２の発明は、雷電流による放電の際の電流と、当該放電時の空気膨張により扉にかかる加重との相関関係から、当該扉の留め具の強度を設定し、一定値以上の雷電流の場合に当該扉が開放されるように設けた請求項１に記載の雷電流表示器とした。また、請求項３の発明は、上記扉は、観音開き式のものとした請求項１又は２の何れかに記載の雷電流表示器とした。さらに、請求項４の発明は、上記雷電流表示器の扉が開放されて露出する内部を当該扉や当該雷電流表示器の色と異なる色、例えば、赤色、オレンジ色又は黄色などに着色した請求項１乃至３の何れかに記載の雷電流表示器とした。
【０００８】
また、請求項５の発明は、電力流通線路において、雷放電ギャップの、対向して設けられた一方の放電金具の先端に、上記請求項１乃至４の何れかに記載の雷電流表示器の放電金具挿入用中空部を被せて当該雷電流表示器を取り付け、上記電力流通線路の襲雷時に、上記雷放電ギャップに雷電流による放電が発生した際、上記雷電流表示器の放電部内において、当該放電により空気が膨張し、当該放電部の扉が上記留め具に抗して開き、一定値以上の雷電流が当該雷放電ギャップを通過したことを表示する電力流通線路における雷電流の表示方法とした。
【発明の効果】
【０００９】
請求項１及び５の各発明によれば、雷電流表示器の扉の開放によって、一定値以上の雷電流が通過したことを表示するようにしたので、簡単な構成で、取り付けも容易、かつ簡単な物理現象を利用したことにより、故障も無く、保守も不要な、安価で量産可能な雷電流表示器を得ることが出来、長期的に安定して、雷動作特性を確実に掴むことが出来る。これにより、広範囲に設けられている電力流通線路であっても、取付けることが出来、安全、かつ安定して確実に電力を供給することが出来るものである。
【００１０】
請求項２の発明によれば、雷電流による放電の際の電流と、当該放電時の空気の膨張により扉にかかる加重との相関関係から、この扉の留め具の強度を設定し、一定値以上の雷電流の場合に当該扉が開放されるように設けることが出来るので、雷電流表示器の扉の開放を制御することが出来る。すなわち、周辺機器の雷電流通過による劣化が問題にならないような小さな雷撃では開放しないようにすることが出来る。また、一定値以上の雷電流により扉を開放することにより、さらには留め具の強度を変えた扉を複数設けることにより、これらの扉の開放状況によって、この雷電流表示器を取り付けた雷放電ギャップにどの程度の雷電流が流れたのかを知ることが出来、架空線路及び周辺機器の損傷度がより具体的に分かる。
【００１１】
請求項３の発明によれば、上記扉は、観音開き式のものとしたので、扉が開放されれば大きく開き、これが直ぐに分かり、雷電流表示器を取り付けた雷放電ギャップに雷電流が流れたことが離れた個所からでも極めて容易に確認出来る。また、請求項４の発明によれば、上記雷電流表示器の扉が開放して露出する内部を当該扉や当該雷電流表示器の色と異なる色に着色したので、扉が開放されれば色の相違により直ぐに分かり、雷電流表示器を取り付けた雷放電ギャップに雷電流が流れたことが離れた個所からでも極めて容易に確認される。
【発明を実施するための最良の形態】
【００１２】
一定厚の板体又は柱体の一方の端面に開口部を設け、当該開口部から板体又は柱体の内側に至る放電金具挿入用中空部を設け、当該板体又は柱体の内側において当該放電金具挿入用中空部に続いて板体又は柱体の他方の端面に至る細幅の通路から成る雷電流の放電部を設け、当該放電部を形成する一側面は、一側を軸として回転開閉する扉で被い、当該扉が通常は留め具により閉鎖されている構成からなる雷電流表示器。
【００１３】
電力流通線路において、雷放電ギャップの、対向して設けられた一方の放電金具の先端に、上記雷電流表示器の放電金具挿入用中空部を被せて取り付け、当該電力流通線路の襲雷時に、上記雷放電ギャップに雷放電が発生した際、当該放電により上記放電部内の空気が膨張し、当該放電部の扉が上記留め具に抗して開き、一定値以上の雷電流が当該雷放電ギャップを通過したことを表示する。
【実施例１】
【００１４】
以下、この発明の実施例を図に基づいて説明する。
図１、図２及び図３は、この実施例の雷電流表示器Ａを示す。この雷電流表示器Ａは、ＥＰゴムやポリエチレン等をコンプレッション成形、又はインジェクション成形にて一体成形したものであり、一定厚の長方形状の板体の一方の端面に細幅の開口部１を設け、この開口部１から板体の内側に至る放電金具挿入用中空部２を設けている。この放電金具挿入用中空部２の形状は、挿入する放電金具の形状に合わせ、扁平で先端が尖った形状としている。
【００１５】
また、この板体内において、放電金具挿入用中空部２に続いて、この板体の他方の端面に至る、細幅の通路から成る雷電流の放電部３を設けており、この放電部３を形成する一側面（図１及び図２においては、正面を示す。）は、左右に開閉自在な観音開き式の左右の扉４で被われている。これらの扉のうち右側の扉４の自由端は若干突出して延びて左側の扉４の自由端の上に一定幅重なって設けられており、後述する放電アークが逃げ出さないようになっている。
【００１６】
これらの扉４は、図４に示すように、襲雷時、対向して設置された一方の放電金具Ｂに設けられた当該雷電流表示器Ａの細幅の放電部３内を、雷電流の放電３ａが通過する際に起こる放電アークの急峻な空気膨張により、押圧されて開放される様に設けられている。しかし、通常は左右の各扉４の上に突出させて設けた上下のホック５により抑えられて開放しないように閉鎖されている。
【００１７】
左右の各扉４が放電によって開放された際、これらの扉４は、各扉４の一側を中心にほぼ１８０度回転して開き、雷電流表示器Ａの露出した内部（図１におけるクロス線部分）が目立つ様に、扉４や雷電流表示器Ａの色と異なる赤色、オレンジ色又は黄色の着色を行っている。この着色には、蛍光塗料や表示テープを使用して行う。
【００１８】
また、これらの各扉４のホック５は、襲雷による放電の際の電流と、当該放電時の空気膨張により扉４にかかる加重を試験した結果、これらの電流とこれらの扉４にかかる加重との間に相関関係が有ることが分かった。さらには、当該扉４にかかる加重は、雷電流の波形差には関係なく、放電時のエネルギー（電荷量）によって動作することが分かった。これらのことから、例えば、雷電流が２．５〜５ｋＡでは、左右の各扉４が開放されることはないが、５ｋＡを超える電流が流れるとホック５に抗して扉４が開放されるように設けることが出来る。また、過大な雷電流の通過により劣化する恐れのある機材近傍の雷放電ギャップに取り付けることにより、当該機材の耐量値を上回る場合にのみ動作させるようにすることも出来る。
【００１９】
次に、この実施例の雷電流表示器Ａを、高圧架空配電線路Ｃの続流を遮断する素子に直列に設けた放電金具Ｂに取り付けて使用する様子を説明する。図５に示すのは、高圧架空配電線を引留した両引留部６であって、この両引留部６は、縁廻し電線７、高圧中実がいし８、引留用耐張がいし９、引留用クランプ金具１０、この両引留部６全体を支持する腕金１１、バインド線１２から成る。また、ここで使用した放電金具Ｂは、図６に示すように、鉤型のものである。
【００２０】
さらに、この高圧中実がいし８の左右の縁廻し電線７の一部の絶縁被覆を夫々剥がして露出充電部１３を設けて、続流を遮断する素子として、これらの露出充電部１３の周囲に、絶縁材から成る筒状の被覆体１４を夫々取り付けている。これらにより、この両引留部６に雷過電圧の侵入があった場合、フラッシオーバーが高圧中実がいし８の固定金具８ａからバインド線１２、当該バインド線１２の先端から縁廻し電線７に設けた露出充電部１３に至るが、フラッシオーバーは、被覆体１４内の細隙空間内に閉じ込められて続流発生の原因となる電離を解消することが出来る（特許第３３８９５５７号参照）。
【００２１】
図７に示すように、この様な高圧架空配電線路Ｃの高圧中実がいし８の、対向して設けられた二つの放電金具Ｂの接地側の放電金具Ｂ１の先端に、上記雷電流表示器Ａの放電金具挿入用中空部２を被せて当該雷電流表示器Ａを取り付ける。この時、接地側の放電金具Ｂ１の先端部を雷電流表示器Ａの放電部３内に若干突出させている（図４参照）。なお、接地側に設けた放電金具Ｂ１は、接地線に接続させており、接地側ではない方に設けた放電金具Ｂは、バインド線１２と接続させている。
【００２２】
この高圧架空配電線路Ｃに襲雷し、上記二つの各放電金具Ｂ間に、雷の放電が発生した場合、この雷電流表示器Ａの放電部３内を通る放電アークの急峻な空気膨張により、各扉４は、内部から押圧され、上記ホック５に抗して、各扉４が開放され、開ききって当該雷電流表示器Ａの内部を露出し、ある一定値以上の雷電流がこれらの各放電金具Ｂ間を通過したことを表示する。この表示により、当該高圧架空配電線路Ｃの管理者は、上記続流を遮断する素子である被覆体１４が劣化したことが分かる。
【００２３】
この実施例によれば、以下の効果を得ることが出来る。
(1)単純な、扉４による開放方式であるため、樹脂成形技術を利用し、極めて低コストに量産可能である。
(2)構造が簡単なこと、簡単な物理現象を利用していることから、故障もなく、長期的に安定して雷動作特性を確実に維持することが出来る。
(3)従って、特許第３３８９５５７号における高圧架空配電線の引留部及び引き通し部における続流防止方法を用いた機材に、この実施例の雷電流表示器Ａを放電金具Ｂと一緒に取り付け、樹枝状に拡がる配電線路に大量に取り付けるニーズがあったとしても、低コストで、信頼性の高い雷電流表示器Ａを提供することが出来る。
(4)これまで、雷電流の耐量を超え、再使用の限界を超えたものを外見から特定して交換することが困難であったが、この実施例の雷電流表示器Ａを使用することにより、この雷電流表示器Ａの扉４が開放したことを目安として、機材に耐量（規格上限界の雷電流）を超えた雷電流を処理し、著しく劣化したと思われるものを特定し交換することが可能となり、運用面においても合理的かつ低コスト化する事が可能となる。
【００２４】
なお、上記実施例においては、雷電流表示器Ａの左右に開く扉４を一つ設けたが、扉４を複数縦列させて設け、各扉４が開放する雷電流値を変えて、例えば、上の扉４は、２．５ｋＡを超えると開放するように設け、下の扉４は、５ｋＡを超えると開放するように設けても良い。この様に設けることにより、上下の扉４の開放具合により、この雷放電ギャップを通過した雷電流の大きさを知ることが出来る。また、この雷電流表示器Ａの扉４は、左右に開閉自在な観音開き式のものとしたが、この扉４は、観音開き式に限るものではなく、一側を軸として回転開放する扉でも良い。さらに、扉４が開放された際、雷電流表示器Ａの露出した内部を赤色、オレンジ色又は黄色の着色をしたが、着色の色は、これらに限定するものではなく、扉４や雷電流表示器Ａの色と異なる目立つ色であれば良い。
【００２５】
また、雷電流表示器Ａの放電金具挿入用中空部２の形状を扁平で先端が尖った形状として設けているが、放電金具挿入用中空部２の形状としては、これに限定するものではなく、図８に示すように、円柱形状や角筒形状など放電金具挿入用中空部２内に挿入する放電金具の形状に合わせたものでよい。さらに、扉４を抑えて閉鎖する留め具として、ホック５を当該扉４の自由端の上下に設けているが、留め具の形状や設け方は、これらに限定するものではない。また、雷電流表示器ＡをＥＰゴムやポリエチレン等によって、コンプレッション成形、インジェクション成形等を使用して一体成形しているが、雷電流表示器Ａの材質や成形方法は、これらのものに限定するものではなく、この実施例の雷電流表示器Ａとして円滑に作用出来、製造が容易で安価なものであればよい。但し、扉４は、雷電流通過の際、横に開ききるよう、ある程度腰の有る材質のものが良い。
【００２６】
また、この雷電流表示器Ａを接地側の放電金具Ｂ１に取り付けているが、雷電流表示器Ａを取り付けるのは、接地側に限るものではなく、反対側の放電金具に取り付けてももちろん良く、さらに、上記実施例では、高圧架空配電線路Ｃの高圧中実がいし８に設けた放電金具Ｂの一方に、この雷電流表示器Ａを取り付けているが、この雷電流表示器Ａを取り付けるのは、高圧架空配電線路Ｃに限らず、例えば、高圧鉄塔等の続流を遮断する素子が直列に設けられたアークホーンなどでもよく、その他、避雷器等の電気機器の近傍に設けた適宜の放電金具に取り付けられる。
【図面の簡単な説明】
【００２７】
【図１】この発明の実施例の雷電流表示器の左右の扉を開いた状態を示す斜視図である。
【図２】この発明の実施例の雷電流表示器の左右の扉を閉じた状態を示す正面図である。
【図３】図２におけるＤ−Ｄ線断面図である。
【図４】この発明の実施例の雷電流表示器を、設置された放電金具の一方に設け、襲雷時、この雷電流表示器の放電部を通して二つの放電金具間に雷電流の放電が起きている状態を示す説明図である。
【図５】この発明の実施例の雷電流表示器を取り付ける、高圧架空配電線路に放電金具を続流遮断素子と直列に接続した状態を示す正面図である。
【図６】この発明の実施例の雷電流表示器を取り付ける放電金具の一片の斜視図である。
【図７】この発明の実施例の雷電流表示器を、高圧架空配電線路の続流を遮断する素子に直列に接続した放電金具に取り付けた状態の一部拡大図である。
【図８】この発明の実施例の雷電流表示器の他の例を示す斜視図である。
【符号の説明】
【００２８】
Ａ    雷電流表示器                    Ｂ    放電金具
Ｃ    高圧架空配電線路
１    開口部                          ２    放電金具挿入用中空部
３    放電部                          ４    扉
５    ホック
【図１】
2007080634.tif 000003
【図２】
2007080634.tif 000004
【図３】
2007080634.tif 000005
【図４】
2007080634.tif 000006
【図５】
2007080634.tif 000007
【図６】
2007080634.tif 000008
【図７】
2007080634.tif 000009
【図８】
2007080634.tif 000010